(57)【特許請求の範囲】
【請求項１】
太陽電池モジュールで発電された直流電力を交流電力に変換するパワーコンディショナからの電力が供給される第１電力供給線と、商用電力供給源に接続された電気機器からの電力が供給される第２電力供給線とに接続され、上記パワーコンディショナおよび上記電気機器に対するユーザからの指示を受け付ける遠隔操作装置に供給する電力を切り替える電源切替装置であって、
上記第１電力供給線および第２電力供給線と上記遠隔操作装置との接続状態を切り替える接続切替部と、
上記第１電力供給線の電圧が所定値以上である場合には上記第１電力供給線のみから上記遠隔操作装置に電力を供給し、上記第１電力供給線の電圧が所定値未満である場合には、上記第２電力供給線のみ、または上記第１電力供給線および上記第２電力供給線のうち電圧が高い方から上記遠隔操作装置に電力を供給するように上記接続切替部の切替動作を制御し、上記切替動作の結果を示す信号を上記遠隔操作装置に通知する切替制御部とを備えていることを特徴とする電源切替装置。
【請求項２】
上記切替制御部は、
上記第１電力供給線の電圧が所定値以上である状態が所定時間以上継続している場合に上記第１電力供給線のみから上記遠隔操作装置に電力を供給し、所定時間以上継続していない場合には、上記第２電力供給線のみ、または上記第１電力供給線および上記第２電力供給線のうち電圧が高い方から上記遠隔操作装置に電力を供給するように上記接続切替部の動作を制御することを特徴とする請求項１に記載の電源切替装置。
【請求項３】
請求項１または２に記載の電源切替装置を備え、
上記電源切替装置から電力供給される遠隔操作装置であって、太陽電池モジュールで発電された直流電力を交流電力に変換するパワーコンディショナおよび商用電力供給源に接続された電気機器に対するユーザからの指示を受け付ける遠隔操作装置。
【請求項４】
上記切替動作の結果を示す信号に応じて、当該遠隔操作装置の動作モードを通常駆動モードと通常駆動モードよりも消費電力が少ない省電力駆動モードとに切り替えることを特徴とする請求項３に記載の遠隔操作装置。
【請求項５】
上記切替動作の結果を示す信号に応じて、ユーザが上記パワーコンディショナに対する指示入力を行うための画像および上記太陽電池モジュールの発電状態を示す画像の少なくとも一方を含む表示画面と、ユーザが上記電気機器に対する指示入力を行うための画像および上記電気機器の状態を示す画像の少なくとも一方を含む表示画面との切替表示を行うことを特徴とする請求項３または４に記載の遠隔操作装置。
【請求項６】
表示部と、上記表示部の表示状態を制御する表示制御部とを備えており、
上記表示制御部は、
上記第１電力供給線および第２電力供給線と上記遠隔操作装置との接続状態が上記第１電力供給線のみから上記遠隔操作装置に電力が供給される状態である場合には、ユーザが上記パワーコンディショナに対する指示入力を行うための画像および上記太陽電池モジュールの発電状態を示す画像の少なくとも一方を含む表示画面を上記表示部に表示させ、
上記第１電力供給線および第２電力供給線と上記遠隔操作装置との接続状態が、上記第２電力供給線のみ、または上記第１電力供給線および上記第２電力供給線のうち電圧が高い方から上記遠隔操作装置に電力が供給される状態である場合には、ユーザが上記電気機器に対する指示入力を行うための画像および上記電気機器の状態を示す画像の少なくとも一方を含む表示画面を上記表示部に表示させることを特徴とする請求項５に記載の遠隔操作装置。
【請求項７】
太陽電池モジュールで発電された直流電力を交流電力に変換するパワーコンディショナおよび商用電力供給源に接続された電気機器に対するユーザからの指示を受け付ける遠隔操作装置であって、
上記遠隔操作装置は、上記パワーコンディショナからの電力が供給される第１電力供給線と電気機器からの電力が供給される第２電力供給線とに接続されて上記遠隔操作装置に供給する電力を切り替える電力切替装置から電力を供給され、
上記遠隔操作装置の動作モードを通常駆動モードと通常駆動モードよりも消費電力が少ない省電力駆動モードとに切り替えるモード制御部を備えており、
上記モード制御部は、
上記第１電力供給線および第２電力供給線と上記遠隔操作装置との接続状態が上記第１電力供給線のみから上記遠隔操作装置に電力が供給される状態である場合には当該遠隔操作装置の動作モードを通常駆動モードとし、
上記第１電力供給線および第２電力供給線と上記遠隔操作装置との接続状態が、上記第２電力供給線のみ、または上記第１電力供給線および上記第２電力供給線のうち電圧が高い方から上記遠隔操作装置に電力が供給される状態である場合には当該遠隔操作装置の動作モードを省電力駆動モードとすることを特徴とする遠隔操作装置。
【請求項８】
太陽電池モジュールと、上記太陽電池モジュールで発電された電力を直流から交流に変換するパワーコンディショナと、商用電力供給源に接続された電気機器と、請求項３から７のいずれか１項に記載の遠隔操作装置とを備えていることを特徴とする太陽光発電システム。
【請求項９】
上記電気機器は、給湯装置であることを特徴とする請求項８に記載の太陽光発電システム。
【発明の詳細な説明】
【技術分野】
【０００１】
本発明は、太陽光発電システムに備えられる遠隔操作装置に対する電源供給源を切り替える処理を行う電源切替装置、上記電源切替装置を備えた遠隔操作装置並びに太陽光発電システムに関するものである。
【背景技術】
【０００２】
従来、太陽電池モジュールと、太陽電池モジュールによって発電された直流の電力を商用電力と同じ交流の電力に変換するパワーコンディショナ（以下、パワコンと称する）と、パワコンを介して供給される電力を用いて動作する各種電気機器（例えば自然冷媒ヒートポンプ給湯装置など）を備えた太陽光発電システムが普及している。
【０００３】
ところで、上記のような従来の太陽光発電システムでは、パワコンに対する指示を行ったりパワコンから太陽電池モジュールの発電状況に関する情報を取得して表示したりするためのリモコン（遠隔操作装置）と、給湯装置等の電気機器に対する指示を行うためのリモコンとがそれぞれ別々に備えられており、パワコンのリモコンに対する電源電力はパワコンから供給され、給湯装置等の電気機器のリモコンに対する電源電力はその電気機器から供給されている。
【０００４】
なお、特許文献１には、ラジオ等の電子機器において、外部ＤＣ電源および内部電源のいずれを電力供給源として用いるかをＤＣプラグが接続されているか否かに応じて切り替える技術が開示されている。
【先行技術文献】
【特許文献】
【０００５】
【特許文献１】特開平９−５６０６１号公報（平成９年２月２５日公開）
【発明の概要】
【発明が解決しようとする課題】
【０００６】
上述した従来の構成のように、パワコン用のリモコンと給湯装置等の電気機器用のリモコンとを別々に備えていたのでは、リモコンの数が増えて設置スペースの問題や美観上の問題が生じる。このため、パワコン用のリモコンと給湯装置等の電気機器用のリモコンとを統合したリモコンが求められている。
【０００７】
ところが、そのような統合型のリモコンを設ける場合、そのリモコンに対する電源供給をパワコンから行うべきか、あるいは給湯装置等の電気機器から行うべきかが問題になる。
【０００８】
この点に関し、パワコンからの電力供給が可能な状況下では、以下に示す（１），（２）の理由から、パワコンからリモコンに電力を供給することが好ましい。
（１）停電等により商用電力の供給が遮断された場合であっても太陽電池モジュールによって発電された電力を利用可能にすることができる。
（２）パワコンは、太陽電池モジュールによって発電された直流の電力を交流に変換して各種電気機器に出力したり電力会社に売電したりする装置であるという性質から、電力の出力特性が優れており、一般に、給湯装置等の電気機器に比べてリモコンに対する電力の供給能力が高い。
【０００９】
このため、リモコンに対する電力供給を常にパワコンから行う構成とすることが考えられる。
【００１０】
しかしながら、現在の日本の電気事業制度では、太陽電池モジュールおよびパワコンを家屋等に設置した後、電力会社への給電開始申請を行ってから給電開始が認可されてパワコンへの商用電力の給電が実際に開始されるまでに約２週間程度の期間がかかるのが実情である。このため、リモコンに対する電力供給を常にパワコンから行う構成にすると、パワコンへの商用電力の給電が開始されるまでの約２週間の期間については、昼間は太陽電池モジュールによって発電した電力を用いてリモコンを動作させることができるものの、夜間等の太陽電池モジュールによる発電が行われない期間にはリモコンを動作させることができないという問題が生じる。その結果、夜間等の太陽電池モジュールによる発電が行われていない期間（あるいは昼間であっても太陽電池モジュールの発電量が少ない期間）にはリモコンを利用することができず、給湯装置等の電気機器を利用できないという問題が生じる。また、パワコンが故障等により利用できなくなった場合にも、給湯装置等の電気機器を利用できなくなるという問題が生じる。
【００１１】
一方、給湯装置等のパワコン以外の電気機器については上記のような制約はなく、家屋等への設置が完了して商用電力の電力供給配線に接続すればすぐに利用開始できる。
【００１２】
そこで、リモコンに対する電力供給を常に給湯装置等の電気機器から行う構成とすることが考えられる。
【００１３】
しかしながら、その場合には、停電等により商用電力の供給が遮断された場合に、リモコンを動作させることができず、パワコンの動作を制御できなくなる。このため、停電等により商用電力の供給が遮断された場合に、パワコンを自立運転モード（太陽電池モジュールで発電した電力を電力会社に売電せずに当該パワコンが備えられる太陽光発電システム内で利用するモード）に切り替えることができず、太陽電池モジュールによって発電した電力を利用することができないという問題が生じる。
【００１４】
また、給湯装置等の電気機器は、一般に、パワコンに比べてリモコンへの電力供給能力が低いため、リモコンに十分な電力を供給することができず、リモコンが本来有している能力を制限して利用する必要が生じる場合がある。具体的には、例えば、リモコンに備えられる液晶表示パネルのバックライトの輝度を低下させたり、リモコンに備えられるＣＰＵ等のプロセッサの動作速度を低下させたり、リモコンに備えられるメモリに対するアクセス速度を低下させたりする必要が生じる場合がある。
【００１５】
本発明は、上記の問題点に鑑みてなされたものであり、その目的は、太陽電池モジュールと、パワコンと、商用電力源に接続された電気機器とを備えた太陽光発電システムにおいて、パワコンに対するユーザからの指示および電気機器に対するユーザからの指示の両方を受け付けるリモコン（遠隔操作装置）に対して、パワコンおよび電気機器のリモコンに対する電力供給能力の変化に応じて電力を適切に供給することにある。
【課題を解決するための手段】
【００１６】
本発明の電源切替装置は、太陽電池モジュールと、上記太陽電池モジュールで発電された電力を直流から交流に変換するパワーコンディショナと、商用電力供給源に接続された電気機器と、上記パワーコンディショナに対するユーザからの指示および上記電気機器に対するユーザからの指示の両方を受け付ける遠隔操作装置とを備えた太陽光発電システムに備えられ、上記遠隔操作装置に対する電力供給源の切り替えを行う電源切替装置であって、上記パワーコンディショナから上記遠隔操作装置への電力供給線である第１電力供給線および上記電気機器から上記遠隔操作装置への電力供給線である第２電力供給線の両方に接続されており、上記第１電力供給線および第２電力供給線と上記遠隔操作装置との接続状態を切り替える接続切替部と、上記第１電力供給線の電圧が所定値以上である場合には上記第１電力供給線のみから上記遠隔操作装置に電力を供給し、上記第１電力供給線の電圧が所定値未満である場合には、上記第２電力供給線のみ、または上記第１電力供給線および上記第２電力供給線のうち電圧が高い方から上記遠隔操作装置に電力を供給するように上記接続切替部の動作を制御する切替制御部とを備えていることを特徴としている。
【００１７】
上記の構成によれば、第１電力供給線の電圧が所定値以上である場合には第１電力供給線のみから遠隔操作装置に電力が供給されるので、遠隔操作装置に対する電力供給源が頻繁に切り替わることを防止し、パワーコンディショナから遠隔操作装置に電力を安定して供給することができる。また、第１電力供給線の電圧が所定値未満である場合には、上記第２電力供給線のみ、または第１電力供給線および第２電力供給線のうち電圧が高い方から遠隔操作装置に電力が供給されるので、パワーコンディショナから遠隔操作装置に十分な電力を供給できない場合（例えば、パワーコンディショナへの商用電力の給電が開始されておらず、かつ太陽電池モジュールの発電量が少ない期間等）であっても、少なくなくとも電気機器の電力供給能力に応じた電力を遠隔操作装置に供給することができる。これにより、パワーコンディショナから遠隔操作装置に十分な電力を供給ができない場合であっても、遠隔操作装置を動作させ、電気機器の動作を制御することができる。したがって、上記の構成によれば、遠隔操作装置に対して、パワーコンディショナおよび電気機器の電力供給能力の変化に応じて当該遠隔操作装置の機能を有効に活用できるように電力を適切に供給することができる。
【００１８】
また、上記切替制御部は、上記第１電力供給線の電圧が所定値以上である状態が所定時間以上継続している場合に上記第１電力供給線のみから上記遠隔操作装置に電力を供給し、所定時間以上継続していない場合には、上記第２電力供給線のみ、または上記第１電力供給線および上記第２電力供給線のうち電圧が高い方から上記遠隔操作装置に電力を供給するように上記接続切替部の動作を制御する構成としてもよい。
【００１９】
上記の構成によれば、第１電力供給線の電圧が所定値以上である状態が所定時間以上継続している場合、すなわちパワーコンディショナから遠隔操作装置に十分な電力を安定して供給できる場合に、第１電力供給線のみから遠隔操作装置に電力が供給されるので、遠隔操作装置に対する電力供給源が頻繁に切り替わることを防止し、パワーコンディショナから遠隔操作装置に電力を安定して供給することができる。また、第１電力供給線の電圧が所定値未満である場合には、上記第２電力供給線のみ、または第１電力供給線および第２電力供給線のうち電圧が高い方から遠隔操作装置に電力が供給されるので、パワーコンディショナから遠隔操作装置に十分な電力を安定して供給できない場合（例えば、パワーコンディショナへの商用電力の給電が開始されておらず、かつ太陽電池モジュールの発電量が少ない期間や太陽電池モジュールの状態が非発電状態と発電状態との間で切り替わる過渡期等）であっても、少なくとも電気機器からの電力供給能力に応じた電力を遠隔操作装置に供給することができる。これにより、パワーコンディショナから遠隔操作装置に十分な電力を安定して供給ができない場合であっても、遠隔操作装置を動作させ、電気機器の動作を制御することができる。したがって、上記の構成によれば、遠隔操作装置に対して、パワーコンディショナおよび電気機器の電力供給能力の変化に応じて当該遠隔操作装置の機能を有効に活用できるように電力を適切に供給することができる。
【００２０】
また、上記接続切替部は、上記遠隔操作装置に電力を出力するための電力出力部と、上記パワーコンディショナから上記遠隔操作装置への電力の供給方向が順方向になるように上記第１電力供給線と上記電力出力部との間に接続された第１ダイオードと、上記第２電力供給線に接続され、上記第２電力供給線と上記電力出力部との接続状態を導通状態と遮断状態とに切り替える接続切替スイッチと、上記電気機器から上記遠隔操作装置への電力の供給方向が順方向になるように上記接続切替スイッチと上記電力出力部との間に接続された第２ダイオードとを備えている構成としてもよい。
【００２１】
上記の構成によれば、接続切替スイッチを動作させることにより、第２電力供給線と遠隔操作装置とを導通状態と遮断状態とに容易に切り替えることができる。また、第２電力供給線と遠隔操作装置とを導通状態とした場合に、第１電力供給線および第２電力供給線のうち電圧が高い方から供給される電力を遠隔操作装置に供給することができる。
【００２２】
本発明の遠隔操作装置は、太陽電池モジュールと、上記太陽電池モジュールで発電された電力を直流から交流に変換するパワーコンディショナと、商用電力供給源に接続された電気機器とを備えた太陽光発電システムに備えられ、上記パワーコンディショナに対するユーザからの指示および上記電気機器に対するユーザからの指示の両方を受け付ける遠隔操作装置であって、上記したいずれかの電源切替装置を備えていることを特徴としている。
【００２３】
上記の構成によれば、上記したいずれかの電源切替装置を備えているので、遠隔操作装置に対して、パワーコンディショナおよび電気機器の電力供給能力の変化に応じて当該遠隔操作装置の機能を有効に活用できるように電力を適切に供給することができる。
【００２４】
また、上記第２電力供給線を用いて電源重畳方式により上記電気機器と通信を行う通信部を備えており、上記切替制御部は、上記第１電力供給線の電圧が所定値以上である状態が所定時間以上継続している場合に上記第１電力供給線のみから上記遠隔操作装置に電力を供給し、所定時間以上継続していない場合には、上記第２電力供給線のみ、または上記第１電力供給線および上記第２電力供給線のうち電圧が高い方から上記遠隔操作装置に電力が供給されるように上記接続切替部の動作を制御する構成としてもよい。
【００２５】
上記の構成によれば、遠隔操作装置に対する電力供給源が頻繁に切り替わることを防止できるので、遠隔操作装置に対する電力供給源の切り替えによって遠隔操作装置と電気機器との通信が不安定になったり遮断されたりするリスクを低減し、安定した通信を行うことができる。
【００２６】
また、表示部と、上記表示部の表示状態を制御する表示制御部とを備えており、上記表示制御部は、上記第１電力供給線および第２電力供給線と上記遠隔操作装置との接続状態が上記第１電力供給線のみから上記遠隔操作装置に電力が供給される状態である場合には、ユーザが上記パワーコンディショナに対する指示入力を行うための画像および上記太陽電池モジュールの発電状態を示す画像の少なくとも一方を含む表示画面を上記表示部に表示させ、上記第１電力供給線および第２電力供給線と上記遠隔操作装置との接続状態が、上記第２電力供給線のみ、または上記第１電力供給線および上記第２電力供給線のうち電圧が高い方から上記遠隔操作装置に電力が供給される状態である場合には、ユーザが上記電気機器に対する指示入力を行うための画像および上記電気機器の状態を示す画像の少なくとも一方を含む表示画面を上記表示部に表示させる構成としてもよい。
【００２７】
上記の構成によれば、第１電力供給線の電圧が所定値以上である場合、あるいは第１電力供給線の電圧が所定値以上である状態が所定時間以上継続いている場合に、ユーザがパワーコンディショナに対する指示入力を行うための画像および太陽電池モジュールの発電状態を示す画像の少なくとも一方を含む表示画面を表示部に表示させるように表示部の表示状態を自動的に制御することができる。また、第１電力供給線の電圧が所定値未満である場合、あるいは第１電力供給線の電圧が所定値以上である状態が所定時間以上継続いていない場合に、ユーザが電気機器に対する指示入力を行うための画像および電気機器の状態を示す画像の少なくとも一方を含む表示画面を上記表示部に表示させるように表示部の表示状態を自動的に制御することができる。これにより、太陽電池モジュールあるいはパワーコンディショナの状態に応じて表示部の表示状態を制御することができ、ユーザにとって使い勝手もよい表示状態を自動的に実現できる。
【００２８】
また、当該遠隔操作装置の動作モードを通常駆動モードと通常駆動モードよりも消費電力が少ない省電力駆動モードとに切り替えるモード制御部を備えており、上記モード制御部は、上記第１電力供給線および第２電力供給線と上記遠隔操作装置との接続状態が上記第１電力供給線のみから上記遠隔操作装置に電力が供給される状態である場合には当該遠隔操作装置の動作モードを通常駆動モードとし、上記第１電力供給線および第２電力供給線と上記遠隔操作装置との接続状態が、上記第２電力供給線のみ、または上記第１電力供給線および上記第２電力供給線のうち電圧が高い方から上記遠隔操作装置に電力が供給される状態である場合には当該遠隔操作装置の動作モードを省電力駆動モードとする構成としてもよい。
【００２９】
上記の構成によれば、遠隔操作装置に対する電力供給源が必ずパワーコンディショナである場合に、当該遠隔操作装置の動作モードを通常駆動モードに自動的に設定することができるので、遠隔操作装置の有する機能を有効に活用することができる。また、遠隔操作装置に対する電力供給源が電気機器である場合、あるいは電気機器にもパワーコンディショナにもなり得る場合に、当該遠隔操作装置の動作モードを省電力駆動モードに自動的に設定することができるので、遠隔操作装置に対する供給電力が不足して遠隔操作装置の動作が不安定になることを防止できる。
【００３０】
本発明の太陽光発電システムは、太陽電池モジュールと、上記太陽電池モジュールで発電された電力を直流から交流に変換するパワーコンディショナと、商用電力供給源に接続された電気機器と、上記したいずれかの遠隔操作装置とを備えていることを特徴としている。
【００３１】
上記の構成によれば、上記したいずれかの電源切替装置を備えているので、遠隔操作装置に対して、パワーコンディショナおよび電気機器の電力供給能力の変化に応じて当該遠隔操作装置の機能を有効に活用できるように電力を適切に供給することができる。
【００３２】
また、上記電気機器は、給湯装置であってもよい。
【００３３】
上記の構成によれば、太陽電池モジュールおよびパワーコンディショナと給湯装置とを備えた太陽光発電システムにおいて、パワーコンディショナおよび給湯装置に対する指示入力を行うための遠隔操作装置に対して電力を適切に供給することができる。
【発明の効果】
【００３４】
以上のように、本発明の電源切替装置、遠隔操作装置、および太陽光発電システムによれば、パワーコンディショナに対するユーザからの指示および電気機器に対するユーザからの指示の両方を受け付ける遠隔操作装置に対して、パワコンおよび電気機器の電力供給能力の変化に応じて当該リモコンの機能を有効に活用できるように電力を適切に供給することができる。
【図面の簡単な説明】
【００３５】
【図１】本発明の一実施形態にかかる太陽光発電システムに備えられるリモコンの概略構成を示す模式図である。
【図２】本発明の一実施形態にかかる太陽光発電システムの概略構成を示す模式図である。
【図３】図２に示した太陽光発電システムに備えられるパワコンの概略構成を示す模式図である。
【図４】図２に示した太陽光発電システムに備えられる給湯装置の概略構成を示す模式図である。
【図５】図１に示したリモコンに備えられる電源切替装置の概略構成を示す模式図である。
【図６】図５に示した電源切替装置に接続される第１電力供給線の電圧と、上記電源切替装置に備えられる切替制御部による上記電圧の検知結果と、上記切替制御部から出力される制御信号との関係を示す説明図である。
【図７】図１に示したリモコンに備えられるリモコン制御部が図６に示した電源切替装置から出力される制御信号に応じて行う処理の流れを示すフローチャートである。
【図８】図１に示したリモコンの表示部に表示される表示画面の一例を示す説明図である。
【図９】図１に示したリモコンの表示部に表示される表示画面の一例を示す説明図である。
【発明を実施するための形態】
【００３６】
本発明の一実施形態について説明する。
【００３７】
（１−１．太陽光発電システム１００の全体構成）
図２は、本実施形態にかかる太陽光発電システム１００の概略構成を示す模式図である。この図に示すように、太陽光発電システム１００は、太陽電池モジュール１０、パワコン（パワーコンディショナ）２０、給湯装置（電気機器）３０、リモコン（遠隔操作装置）４０、および電気機器Ａ，Ｂ，・・・を備えている。
【００３８】
太陽電池モジュール１０は、太陽光を電気エネルギーに変換することによって直流の電力を発電し、発電した直流の電力をパワコン２０に出力する。
【００３９】
パワコン２０は、太陽電池モジュール１０から入力される直流の電力を商用電力と同じ交流の電力に変換し、太陽光発電システム１００に備えられる各電気機器（給湯装置３０、電気機器Ａ，Ｂ，・・・）に出力する。
【００４０】
また、パワコン２０は、太陽電池モジュール１０によって発電した電力量が太陽光発電システム１００に備えられる各電気機器の消費電力の合計を上回り、余剰電力が生じる場合にはその余剰電力を電力会社に出力（売電）する。
【００４１】
また、パワコン２０は、商用電力供給源に接続されており、太陽電池モジュール１０によって発電した電力量が太陽光発電システム１００に備えられる各電気機器の消費電力の合計を下回る場合には、不足分の電力を電力会社から取得（買電）して各電気機器に供給する。ただし、上述したように、現在の日本の電気事業制度では、太陽電池モジュールおよびパワコンを設置した後、電力会社からパワコンへの商用電力の給電が開始されるまでに約２週間程度の期間がかかる。このため、図２に破線で示したように、電力会社からパワコンへの商用電力の給電が開始される前の期間については、パワコン２０は電力会社から買電することができないようになっている。
【００４２】
給湯装置３０および電気機器Ａ，Ｂ，・・・は、パワコン２０から供給される電力（太陽電池モジュール１０で発電された電力、あるいは電力会社から買電した電力）によって動作する電気機器である。電気機器Ａ，Ｂ，・・・の種類および数は特に限定されるものではなく、例えば、冷蔵庫、洗濯機、テレビ、パソコン、照明装置、空調装置など、各種の電気機器があげられる。
【００４３】
また、給湯装置３０および電気機器Ａ，Ｂ，・・・は、電力会社からパワコン２０への給電が開始される前の期間であっても電力会社からの商用電力の供給（買電）を受けてこれら各電気機器を利用できるように商用電力供給源に接続されている。
【００４４】
リモコン４０は、パワコン２０および給湯装置３０について共通に備えられるものであり、パワコン２０から太陽電池モジュール１０の発電量を示す情報を受信して当該情報に応じた画像を表示する機能、およびパワコン２０に対するユーザからの指示を受け付けて当該指示に応じた情報をパワコン２０に伝達する機能の少なくとも一方と、給湯装置３０から当該給湯装置３０の状態を示す情報を受信して当該情報に応じた画像を表示する機能、および給湯装置３０に対するユーザからの指示を受け付けて当該指示に応じた情報を給湯装置３０に伝達する機能の少なくとも一方とを有している。
【００４５】
また、リモコン４０は、電力供給線（第１電力供給線）５１にを介してパワコン２０と接続され、電力供給線（第２電力供給線）５２を介して給湯装置３０と接続されている。これにより、リモコン４０は、パワコン２０から駆動電力の供給を受けることも、給湯装置３０から駆動電力の供給を受けることも可能になっている。また、リモコン４０は、後述する電源切替装置６０を備えており、この電源切替装置６０により、パワコン２０の電力供給能力の変化に応じて、パワコン２０または給湯装置３０のいずれかが電力供給源として自動的に選択されるようになっている。
【００４６】
（１−２．パワコン２０の構成）
図３は、パワコン２０の概略構成を示す模式図である。この図に示すように、パワコン２０は、パワコン制御部２１、ＤＣ受電部２２、ＤＣ−ＡＣ変換部２３、ＡＣ受電部２４、ＡＣ出力部２５、ＡＣ−ＤＣ変換部２６、ＤＣ出力部２７、および通信部２８を備えている。
【００４７】
パワコン制御部２１は、ＣＰＵや専用プロセッサなどの演算処理部、および、ＲＡＭ、ＲＯＭ、ＨＤＤなどの記憶部（いずれも図示せず）などにより構成されるコンピュータ装置であり、上記記憶部に記憶されている各種情報および各種制御を実施するためのプログラムを読み出して実行することでパワコン２０に備えられる各部の動作を制御する。
【００４８】
ＤＣ受電部２２は、太陽電池モジュール１０から入力される受け付け、ＤＣ−ＡＣ変換部２３に出力する。ＤＣ−ＡＣ変換部２３は、ＤＣ受電部２２から入力された直流の電力を商用電力と同じ交流の電力（ＡＣ１００ＶあるいはＡＣ２００Ｖ）に変換してＡＣ出力部２５に出力する。
【００４９】
ＡＣ受電部２４は、パワコン制御部２１の指示に応じて、太陽電池モジュール１０の発電量が太陽光発電システム１００に備えられる各電気機器の消費電力量に満たない場合に、不足分の電力を電力会社から受電（買電）し、ＡＣ出力部２５に出力する。
【００５０】
ＡＣ出力部２５は、パワコン制御部２１の指示に応じて、ＤＣ−ＡＣ変換部２３およびＡＣ受電部２４から入力される電力を給湯装置３０、電気機器Ａ，Ｂ・・・、およびＡＣ−ＤＣ変換部２６に出力する。また、ＡＣ出力部２５は、パワコン制御部２１の指示に応じて、太陽電池モジュール１０の発電量が太陽光発電システム１００に備えられる各電気機器の消費電力量を上回る場合には余剰電力を電力会社に出力（売電）する。
【００５１】
ＡＣ−ＤＣ変換部２６は、ＡＣ出力部２５から入力された交流の電力を直流の電力（例えばＤＣ１５Ｖ）に変換してＤＣ出力部２７に出力する。ＤＣ出力部２７は、ＡＣ−ＤＣ変換部２６から入力された直流の電力を電力供給線（第１電力供給線）５１を介してリモコン４０に出力する。
【００５２】
通信部２８は、リモコン４０との通信を行い、パワコン制御部２１の指示に応じた情報をリモコン４０に送信し、リモコン４０から受信した情報をパワコン制御部２１に伝達する。なお、本実施形態では、パワコン２０とリモコン４０とはＲＳ４８５規格に準拠したシリアル通信を用いて通信を行うようになっている。ただし、パワコン２０とリモコン４０との通信方法はこれに限るものではなく、任意の通信方法を用いることができる。
【００５３】
（１−３．給湯装置３０の構成）
図４は、給湯装置３０の概略構成を示す模式図である。この図に示すように、給湯装置３０は、給湯制御部３１、ＡＣ受電部３２、給湯機能部３３、ＡＣ−ＤＣ変換部３４、ＤＣ出力部３５、および通信部３６を備えている。また、給湯機能部３３は、加熱部３３ａ、貯湯部３３ｂ、および給湯部３３ｃを備えている。
【００５４】
給湯制御部３１は、ＣＰＵや専用プロセッサなどの演算処理部、および、ＲＡＭ、ＲＯＭ、ＨＤＤなどの記憶部（いずれも図示せず）などにより構成されるコンピュータ装置であり、上記記憶部に記憶されている各種情報および各種制御を実施するためのプログラムを読み出して実行することで給湯装置３０に備えられる各部の動作を制御する。
【００５５】
ＡＣ受電部３２は、パワコン２０から供給される電力、あるいは商用電力供給源から供給される商用電力を取得し、給湯機能部３３およびＡＣ−ＤＣ変換部３４に出力する。
【００５６】
加熱部３３ａは、電力を用いて水を加熱することで温水を生成し、貯湯部３３ｂに貯湯する。なお、加熱部３３ａは、電力を用いて温水を生成するものであれば特に限定されるものではないが、例えば自然冷媒（ＣＯ２）を利用したヒートポンプ式の加熱装置を用いることができる。すなわち、給湯装置３０は、自然冷媒ヒートポンプ給湯機（エコキュート（登録商標））であってもよい。給湯部３３ｃは、給湯制御部３１の指示に応じて、貯湯部３３ｂに貯湯しておいた温水を出力（給湯）する。
【００５７】
ＡＣ−ＤＣ変換部３４は、ＡＣ受電部３２から入力された交流の電力を直流の電力（例えばＤＣ１５Ｖ）に変換してＤＣ出力部３５に出力する。ＤＣ出力部３５は、ＡＣ−ＤＣ変換部３４から入力された直流の電力を電力供給線（第２電力供給線）５２を介してリモコン４０に出力する。
【００５８】
通信部３６は、リモコン４０との通信を行い、給湯制御部３１の指示に応じた情報をリモコン４０に送信し、リモコン４０から受信した情報を給湯制御部３１に伝達する。なお、本実施形態では、給湯装置３０とリモコン４０とは、電源重畳方式を用いて通信を行うようになっている。すなわち、通信部３６は、給湯装置３０からリモコン４０に駆動電力を供給するための電力供給線５２を用いてリモコン４０との通信を行うようになっている。ただし、給湯装置３０とリモコン４０との通信方法はこれに限るものではなく、任意の通信方法を用いることができる。
【００５９】
（１−４．リモコン４０の構成）
図１は、リモコン４０の概略構成を示す模式図である。この図に示すように、リモコン４０は、電源切替装置６０、リモコン制御部４１、表示部４２、指示入力部４３、第１通信部４４、および第２通信部４５を備えている。
【００６０】
電源切替装置６０は、パワコン２０から供給される電力を受電するための電力供給線５１、および給湯装置３０から供給される電力を受電するための電力供給線５２の両方に接続されており、いずれの電力供給線からもリモコン４０の駆動電力を受電できるようになっている。そして、電源切替装置６０は、電力供給線５１の電圧に応じて電力供給線５１，５２のうちのいずれか一方をリモコン４０に対する電力供給源として選択し、選択した電力供給線から供給される電力をリモコン４０の各部に供給する。また、電源切替装置６０は、上記の選択結果を示す制御信号を、制御信号線５４を介してリモコン制御部４１に出力する。電源切替装置６０の詳細については後述する。
【００６１】
表示部４２は、表示制御部４１ｃの指示に応じた画像を表示する表示手段である。表示部４２の構成は特に限定されるものではないが、本実施形態では表示部４２として液晶表示パネルを用いている。
【００６２】
指示入力部４３は、ユーザからの指示入力を受け付けるための複数の操作ボタンを備えており、ユーザから受け付けた指示入力を示す情報をリモコン制御部４１に伝達する。なお、表示部４２と指示入力部４３とを一体化させたタッチパネルを用いてもよく、タッチパネルと各種操作ボタンとを併用してもよい。
【００６３】
第１通信部４４は、パワコン２０との通信を行う通信手段である。リモコン４０とパワコン２０との通信方法は特に限定されるものではないが、上述したように、本実施形態ではＲＳ４８５規格に準拠したシリアル通信を用いてパワコン２０との通信を行うようになっている。
【００６４】
第２通信部（通信部）４５は、給湯装置３０との通信を行う通信手段である。リモコン４０と給湯装置３０との通信方法は特に限定されるものではないが、上述したように、本実施形態では電源重畳方式を用いて通信を行うようになっている。
【００６５】
リモコン制御部４１は、ＣＰＵや専用プロセッサなどの演算処理部、および、ＲＡＭ、ＲＯＭ、ＨＤＤなどの記憶部（いずれも図示せず）などにより構成されるコンピュータ装置であり、上記記憶部に記憶されている各種情報および各種制御を実施するためのプログラムを読み出して実行することでリモコン４０に備えられる各部の動作を制御するものであり、リモコン制御部４１は、通信制御部４１ａ、制御信号生成部４１ｂ、表示制御部４１ｃ、およびモード制御部４１ｄを備えている。
【００６６】
通信制御部４１ａは、第１通信部４４および第２通信部４５の動作を制御し、パワコン２０との通信および給湯装置３０との通信を行う。
【００６７】
制御信号生成部４１ｂは、指示入力部４３に対するユーザの操作入力の内容を解析し、解析結果に応じてパワコン２０または給湯装置３０に送信するための制御信号を生成し、第１通信部４４または第２通信部４５を介してパワコン２０または給湯装置３０に送信する。
【００６８】
表示制御部４１ｃは、表示部４２の動作を制御し、指示入力部４３に対するユーザの操作入力、第１通信部４４を介してパワコン２０から取得した情報、および第２通信部４５を介して給湯装置３０から取得した情報などに応じた画像を表示部４２表示させる。例えば、表示制御部４１ｃは、ユーザがパワコン２０あるいは給湯装置３０に対する指示入力を行うための画像、パワコン２０から取得した太陽電池モジュール１０の発電量を示す情報に応じた画像、給湯装置３０から取得した貯湯部３３ｂの湯温や貯湯量に関する情報に応じた画像などを表示部４２に表示させる。
【００６９】
モード制御部４１ｄは、リモコン４０に対する電力供給源の接続状態に応じて、リモコン４０の動作モードを通常駆動モードまたは省電力駆動モードに切り替える。具体的には、モード制御部４１ｄは、リモコン４０に対する電力供給源が必ずパワコン２０である場合にはリモコン４０の動作モードを通常駆動モードに設定し、リモコン４０に対する電力供給源が給湯装置３０で有り得る場合にはリモコン４０の動作モードを省電力駆動モードに設定する。省電力駆動モードにおける動作は、リモコン４０の各部の消費電力の合計が給湯装置３０の電力供給能力に応じた電力以下になるものであればよく、特に限定されるものではない。例えば、表示部４２に備えられるバックライトの発光輝度を通常駆動モードよりも低減させてもよく、リモコン制御部４１に備えられるプロセッサの処理速度を通常駆動モードよりも低下させてもよく、リモコン制御部４１に備えられる記憶部に対するアクセス速度を通常駆動モードよりも低下させてもよく、これらの処理を組み合わせて行うようにしてもよい。
【００７０】
図５は、電源切替装置６０の概略構成を示す模式図である。この図に示すように、電源切替装置６０は、電力の入力側がパワコン２０からリモコン４０への電力供給線５１および給湯装置３０からの電力供給線５２に接続されており、電力の出力側がリモコン４０の各部に電力を供給するための電力供給線５３に接続されている。また、電源切替装置６０は、電力供給線５３と電力供給線５１および電力供給線５２との接続状態を切り替えるための接続切替部６１と、電力供給線５１の電圧検知結果に応じて接続切替部６１の動作を制御する切替制御部６２と、電力供給線５１と接続切替部６１との間に接続されたＤＣ／ＤＣ変換部６３とを備えている。
【００７１】
ＤＣ／ＤＣ変換部６３は、電力供給線５１から接続切替部６１への入力電圧を平滑化する。これにより、例えば、パワコン２０が太陽電池モジュール１０によって発電した電力を用いてリモコン４０に電力を供給する場合と、パワコン２０が商用電力を用いてリモコン４０に電力を供給する場合とでパワコン２０からの出力電圧に微差がある場合であってもその微差を平滑化し、接続切替部６１への入力電圧を略一定にできるようになっている。なお、ＤＣ／ＤＣ変換部６３は必須の構成ではなく、省略してもよい。
【００７２】
接続切替部６１は、電力供給線５３が接続される電力出力部６４と、パワコン２０からリモコン４０への電力の供給方向が順方向になるように電力供給線５１と電力出力部６４との間（ＤＣ／ＤＣ変換部６３と電力出力部６４との間）に接続された第１ダイオード６５と、電力供給線５２に接続され、電力供給線５２と電力供給線５３との接続状態を切替制御部６２から入力される制御信号に応じて導通状態と遮断状態とに切り替える接続切替スイッチ６７と、給湯装置３０からリモコン４０への電力の供給方向が順方向になるように接続切替スイッチ６７と電力出力部６４との間に接続された第２ダイオード６６とを備えている。これにより、電力供給線５１および電力供給線５２の両方が電力供給線５３と導通している場合には、電力供給線５１および電力供給線５２のうち電圧が高い方から供給される電力が電力供給線５３を介してリモコン４０の各部に供給される。
【００７３】
切替制御部６２は、電力供給線５１の電圧を検出するとともに、電力供給線５１の電圧が所定値以上である状態が所定時間以上継続しているか否かを判定し、その判定結果に応じた制御信号を接続切替部６１およびリモコン制御部４１に出力する。
【００７４】
図６は、電力供給線５１の電圧、切替制御部６２による電力供給線５１の電圧検知結果、および切替制御部６２から出力される制御信号の関係を示す説明図である。
【００７５】
パワコン２０への商用電力の供給が行われていない場合、図６の上段に示したように、日の出時などの太陽電池モジュール１０が発電していない状態から発電状態への過渡期等には、太陽電池モジュール１０の発電量が安定しないため、パワコン２０のＤＣ出力部２７からの出力電圧が所定値よりも高い値と低い値との間で変動する場合がある。
【００７６】
切替制御部６２は、図６の中段に示したように、電力供給線５１の電圧が所定値よりも高いか否かを検出するとともに、電力供給線５１の電圧が所定値よりも高い状態が所定時間以上継続しているか否かを判定する。そして、図６の下段に示したように、上記の判定結果に応じて、電力供給線５１の電圧が所定値以上である状態が所定時間以上継続している場合には接続切替スイッチ６７を遮断状態にするための制御信号を出力し、所定時間以上継続していない場合には接続切替スイッチ６７を導通状態にするための制御信号を出力する。
【００７７】
すなわち、図６の中段に示した電圧検知結果（電力供給線５１の電圧が所定値よりも高いか否かの検知結果）に基づいて接続切替部６１を動作させると、太陽電池モジュール１０が発電していない状態から発電状態への過渡期等にはパワコン２０からの出力電圧が安定しないことから、リモコン４０に対する電力供給が不安定になってしまうおそれがある。
【００７８】
また、太陽電池モジュール１０の発電量が安定して（あるいはパワコン２０への商用電力の供給が開始されて）パワコン２０の出力電圧が安定した後も電力供給線５１および電力供給線５２の両方を電力供給線５３に接続したままの状態にしておくと、例えば電力供給線５１および電力供給線５２の長さが長い場合などにリモコン４０への電力供給源となる方の電力供給線において電圧降下が生じ、電力供給線５１の電圧と電力供給線５２の電圧との大小関係が頻繁に切り替わり、リモコン４０の各部の動作が不安定になるおそれがある。特に、本実施形態のようにリモコン４０と給湯装置３０との間で電源重畳方式による通信を行っている場合には、通信状態が不安定になったり遮断されたりしてしまう場合がある。
【００７９】
そこで、本実施形態では、切替制御部６２が、電力供給線５１の電圧が所定値よりも高い状態が所定時間以上継続しているか否かを判定し、その判定結果に応じた上記の制御信号を接続切替部６１およびリモコン制御部４１に出力する。なお、上記の所定値は、例えば、給湯装置３０からリモコン４０に電力を供給しているときの電力供給線５２の電圧と同値に設定すればよい。また、上記所定時間は、パワコン２０の出力電圧が所定値よりも大きい値で安定する時間になるように、太陽電池モジュール１０の発電特性やパワコン２０の出力特性に応じて設定すればよい。
【００８０】
これにより、電力供給線５１の電圧が所定値以上である状態が所定時間以上継続した場合に給湯装置３０からリモコン４０への電力供給が遮断され、パワコン２０からリモコン４０に電力が供給される。したがって、電力供給線５１および電力供給線５２の長さが長い場合であっても、電力供給線５１および電力供給線５２における電圧降下によってリモコン４０への電力供給源が頻繁に切り替わることを防止できる。
【００８１】
また、電力供給線５１の電圧が所定値以上である状態が所定時間以上継続していない場合には、電力供給線５１および電力供給線５２の両方が第１ダイオード６５および第２６６を介して電力供給線５３に接続される。これにより、パワコン２０に商用電力が供給されておらず、かつ太陽電池モジュール１０が発電していない期間や太陽電池モジュール１０の発電量が安定していない期間（例えば太陽電池モジュール１０が発電していない状態から発電状態への過渡期等）であっても、リモコン４０に対して少なくとも給湯装置３０の電力電力供給能力に応じた電力を供給することができる。
【００８２】
なお、本実施形態では、切替制御部６２が、電力供給線５１の電圧が所定値よりも高い状態が所定時間以上継続しているか否かを判定し、その判定結果に応じた制御信号を出力するものとしているが、これに限るものではない。例えば、切替制御部６２が、電力供給線５１の電圧が所定値以上であるか否かを判定し、その判定結果に応じた制御信号を出力するようにしてもよい。また、その場合、切替制御部６２の電圧検出特性を、電力供給線５１の電圧が所定値よりも高い状態が所定時間以上継続した場合に電力供給線５１の電圧が所定値以上であると検出し、所定時間以上継続していない場合には電力供給線５１の電圧は所定値未満である検出するような電圧検出特性としていてもよい。
【００８３】
（１−５．リモコン制御部４１の動作）
次に、リモコン制御部４１が切替制御部６２から入力される制御信号に応じて行う処理について、図７に示すフローチャートを参照しながら説明する。
【００８４】
まず、リモコン制御部４１は、切替制御部６２からの入力信号を受け取ると（Ｓ１）、この入力信号に基づいて電力供給線５２と電力供給線５３とが遮断状態であるか否かを判断する（Ｓ２）。
【００８５】
そして、電力供給線５２が遮断状態ではないと判断した場合、モード制御部４１ｄはリモコン４０の各部を省電力駆動モードで駆動させるための制御を行い（Ｓ３）、表示制御部４１ｃは給湯装置３０に対する操作入力を行うための画像および給湯装置３０に関する情報を示す画像の少なくとも一方を含む表示画面を表示させるように表示部４２の動作を制御し（Ｓ４）、Ｓ１の処理に戻る。図８は、Ｓ４において表示部４２に表示される表示画面の一例を示す説明図である。
【００８６】
また、Ｓ２において電力供給線５２が遮断状態であると判断した場合、モード制御部４１ｄはリモコン４０の各部を通常駆動モードで駆動させるための制御を行い（Ｓ５）、表示制御部４１ｃはパワコン２０に対する操作入力を行うための画像および太陽電池モジュール１０の発電状態を示す画像の少なくとも一方の画像を含む表示画面を表示させるように表示部４２の動作を制御し（Ｓ６）、Ｓ１の処理に戻る。図９は、Ｓ６において表示部４２に表示される表示画面の一例を示す説明図である。
【００８７】
（１−６．まとめ）
以上のように、本実施形態にかかるリモコン４０は、パワコン２０からリモコン４０への電力供給線５１および給湯装置３０からリモコン４０への電力供給線５２の両方に接続された電源切替装置６０を備えており、この電源切替装置６０は、電力供給線５２とリモコン４０の各部に電力を供給するための電力供給線５３との接続状態を導通状態と遮断状態とに切り替える接続切替部６１と、電力供給線５１の電圧が所定値以上であるか否かを検出し、所定値以上である場合には電力供給線５２と電力供給線５３との接続状態を遮断状態とし、所定値未満である場合には電力供給線５２と電力供給線５３との接続状態を導通状態とするように接続切替スイッチ６７の動作を制御する切替制御部６２とを備えている。
【００８８】
これにより、電力供給線５１の電圧が所定値以上である場合に、給湯装置３０からリモコン４０への電力供給が遮断されるので、電力供給線５１，５２の電圧降下等に起因してリモコン４０への電力供給源がパワコン２０と給湯装置３０とに頻繁に切り替わることを防止し、パワコン２０からリモコン４０に電力を安定して供給することができる。また、電力供給線５１の電圧が所定値未満である場合には、電力供給線５２と電力供給線５３とが接続状態にされるので、パワコン２０からリモコン４０に十分な電力を供給できない場合であっても給湯装置３０またはパワコン２０からリモコン４０に少なくとも給湯装置３０の電力供給能力に応じた電力を供給することができ、リモコン４０を用いて給湯装置３０およびパワコン２０の動作を制御することができる。
【００８９】
また、本実施形態では、切替制御部６２が、電力供給線５１の電圧が所定値以上である状態が所定時間以上継続している場合に電力供給線５２と電力供給線５３との接続状態を遮断状態とし、所定時間以上継続していない場合に電力供給線５２と電力供給線５３との接続状態を導通状態とする。
【００９０】
これにより、パワコン２０の出力電圧が所定値以上に安定してから電力供給線５２と電力供給線５３との接続状態が遮断状態に切り替えられるので、太陽電池モジュール１０が発電していない状態から発電状態への過渡期等のパワコン２０の出力電圧が安定しない期間に給湯装置３０からリモコン４０への電力供給が遮断されることを防止し、リモコン４０に安定して電力を供給することができる。
【００９１】
なお、本実施形態では、本発明をパワコン２０用のリモコンと給湯装置３０用のリモコンとを統合したリモコン４０を用いる構成に適用する場合について説明したが、本発明の適用対象はこれに限るものではなく、パワコン２０用のリモコンと給湯装置３０とは異なる他の電気機器のリモコンとを統合した構成に適用することもできる。この場合、上述した太陽光発電システム１００における給湯装置３０を他の電気機器に置き換え、当該電気機器におけるリモコン４０への電力出力部を電力供給線５２に接続すればよい。
【００９２】
また、本実施形態では、電源切替装置６０がリモコン４０の内部に備えられているが、これに限らず、電源切替装置６０がリモコン４０とは別体に設けられてリモコン４０に接続されている構成としてもよい。
【００９３】
また、本実施形態では、切替制御部６２が接続切替スイッチ６７に制御信号を出力するものとしているが、これに限らず、例えば、切替制御部６２が電力供給線５１の電圧検知結果をリモコン制御部４１に伝達し、リモコン制御部４１がこの電圧検知結果に応じた制御信号を生成して接続切替スイッチ６７の動作を制御するようにしてもよい。
【００９４】
また、本実施形態では、電力供給線５２と電力供給線５３との間（給湯装置３０からリモコン４０への電力供給経路）に接続切替スイッチ６７を設けているが、これに加えて、電力供給線５１と電力供給線５３との間（パワコン２０からリモコン４０への電力供給経路）に第２の接続切替スイッチを設け、この第２の接続切替スイッチに接続切替スイッチ６７と逆の動作を行わせるようにしてもよい。すなわち、電力供給線５１の電圧が所定値以上である場合（あるいは所定値以上である状態が所定時間以上継続している場合）には、電力供給線５２と電力供給線５３とを遮断状態、電力供給線５１と電力供給線５３とを導通状態とし、電力供給線５１の電圧が所定値未満である場合（あるいは所定値以上である状態が所定時間以上継続していない場合）には、電力供給線５２と電力供給線５３とを導通状態、電力供給線５１と電力供給線５３とを遮断状態とするように各接続切替スイッチの動作を制御するようにしてもよい。
【００９５】
これにより、太陽電池モジュール１０が発電していない状態から発電状態への過渡期等のパワコン２０からの出力電圧が安定しない期間に、リモコン４０への電力供給源がパワコン２０と給湯装置３０との間で頻繁に切り替わることを防止し、リモコン４０への電力供給をより安定させることができる。
【００９６】
また、本実施形態において、リモコン４０に備えられる各制御部（リモコン制御部４１、切替制御部６２）を、ＣＰＵ等のプロセッサを用いてソフトウェアによって実現してもよい。この場合、リモコン４０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるリモコン４０の制御プログラムのプログラムコード（実行形式プログラム、中間コードプログラム、ソースプログラム）をコンピュータで読み取り可能に記録した記録媒体を、リモコン４０に供給し、そのコンピュータ（またはＣＰＵやＭＰＵ）が記録媒体に記録されているプログラムコードを読み出し実行することによって達成される。上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００９７】
また、リモコン４０を通信ネットワークと接続可能に構成し、通信ネットワークを介して上記プログラムコードを供給してもよい。この通信ネットワークの構成は特に限定されるものではなく、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体についても特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００９８】
また、リモコン４０の各制御部は、ソフトウェアを用いて実現されるものに限らず、ハードウェアロジックによって構成されるものであってもよい。また、リモコン４０の各制御部は、処理の一部を行うハードウェアと当該ハードウェアの制御や残余の処理を行うソフトウェアを実行する演算手段とを組み合わせたものであってもよい。
【００９９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１００】
本発明は、１または複数の端末装置と、上記端末装置にサービスを提供するためのサーバアプリケーションを実行する１または複数のアプリケーションサーバと、上記サーバアプリケーションと連携して動作する連携アプリケーションを実行する１または複数の連携サーバとを備えたシステムに適用できる。
【符号の説明】
【０１０１】
１０  太陽電池モジュール
２０  パワコン（パワーコンディショナ）
３０  給湯装置（電気機器）
４０  リモコン（遠隔操作装置）
４１  リモコン制御部
４１ａ  通信制御部
４１ｂ  制御信号生成部
４１ｃ  表示制御部
４１ｄ  モード制御部
４２  表示部
４３  指示入力部
４４  第１通信部
４５  第２通信部（通信部）
５１  電力供給線（第１電力供給線）
５２  電力供給線（第２電力供給線）
５３  電力供給線（第３電力供給線）
５４  制御信号線
６０  電源切替装置
６１  接続切替部
６２  切替制御部
６３  ＤＣ／ＤＣ変換部
６４  電力出力部
６５  第１ダイオード
６６  第２ダイオード
６７  接続切替スイッチ
１００  太陽光発電システム
【図１】
0006017150.tif 000002
【図２】
0006017150.tif 000003
【図３】
0006017150.tif 000004
【図４】
0006017150.tif 000005
【図５】
0006017150.tif 000006
【図６】
0006017150.tif 000007
【図７】
0006017150.tif 000008
【図８】
0006017150.tif 000009
【図９】
0006017150.tif 000010